(57)【要約】      （修正有）【課題】ある一定の期間が経過して初めて見ることや触れることができる情報を隠しておくことができるアルバムを提供する。【解決手段】容易には開けられない薄手のからくり箱１００が、台紙１１００に取り付けられ、この台紙１１００が綴じ込まれている。このからくり箱は、略薄皿状の本体部と、この本体部にスライドして取り付けられる蓋体部と、この蓋体部が本体部を閉塞した状態で両者をロックするロック機構とを備える。【選択図】図１
2008012714.tif 000002
【特許請求の範囲】
【請求項１】
薄手のからくり箱が、台紙に取り付けられ、この台紙が綴じ込まれていることを特徴とするアルバム。
【請求項２】
薄手のからくり箱が、表紙の裏側に取り付けられていることを特徴とするアルバム。
【請求項３】
請求項１又は２記載のからくり箱は、矩形状の底面部の四辺から同じ高さの本体側前壁部、本体側奥壁部及び一対の本体側横壁部がそれぞれ立ち上げられた平面視矩形状の略薄皿状の本体部と、この本体部にスライドして取り付けられる蓋体部と、この蓋体部が本体部を閉塞した状態で両者をロックするロック機構とを具備しており、前記本体側横壁部は、蓋体部のスライド方向に沿った対向する二辺において、前記底面部から立ち上げられており、前記本体側前壁部は、前記本体側横壁部と直交する方向の辺において、前記底面部から立ち上げられており、前記本体側奥壁部は、前記本体側前壁部と対向する辺において、前記底面部から立ち上げられており、前記蓋体部は、自身のスライド方向に沿った対向する二辺に前記本体部を抱え込む略コ字形状の蓋体側横壁部が形成されているとともに、自身のスライド方向に直交する方向の辺に、本体部を閉塞した際に本体部の本体側前壁部と当接する蓋体側前壁部が形成されており、前記ロック機構は、蓋体部が本体部を閉塞した状態にある場合、前記蓋体側前壁部と当接する本体側前壁部に開設された本体側スリットと、前記蓋体側前壁部から内側に向かって突出され、蓋体部が本体部を閉塞した状態にある場合、前記本体側スリットに挿入されるロック爪部と、このロック爪部の基端部に開設された爪側スリットと、前記本体側横壁部に開設された本体側開口と、前記蓋体側横壁部に開設された蓋体側開口と、これらの本体側開口及び蓋体側開口を介して、内部に入れられ、前記爪側スリットに挿入されるロック用棒体とを有しており、前記爪側スリット、本体側開口及び蓋体側開口は、蓋体部が本体部を閉塞した状態にある場合、一直線上に並ぶことを特徴とする請求項１又は２記載のアルバム。
【請求項４】
前記ロック用棒体の後端には、爪側スリットに挿入されたロック用棒体を取り外す際に取外用棒体の取外側フック部に引っかかるロック側フック部が形成されていることを特徴とする請求項２記載のアルバム。
【発明の詳細な説明】
【技術分野】
【０００１】
本発明は、卒業アルバム等に適したアルバムに関する。
【背景技術】
【０００２】
学校等の卒業アルバムは、卒業生の集合写真や個人写真、各行事のスナップ写真等が掲載されている。この種の卒業アルバムは、卒業を記念するとともに、在学時の思い出を写真という形で残すために行われている。
【０００３】
この種の卒業アルバムには、写真を掲載するのみならず、動画が記録されたビデオカセットを収納することができるものもある（実開平６−８６９５１参照）。
【０００４】
【特許文献１】実開平６−８６９５１
【発明の開示】
【発明が解決しようとする課題】
【０００５】
しかしながら、基本的にこの種の卒業アルバムは、写真にしろ動画にしろ、収納された情報をいつでも見ることができるものにすぎない。このため、卒業してからしばらくは繰り返して見るが、ある程度の年月が経過すると、見なくなることが一般的である。
見るといっても、かなりの年月がたってからの同窓会等で見る程度である。
【０００６】
これらの事情は、卒業アルバムのみならず、結婚式の披露宴の写真を収納したアルバム等でも同様である。
【０００７】
本発明は、上記事情に鑑みて創案されたもので、ある一定の期間が経過して初めて見ることや触れることができる情報を隠しておくことができるアルバムを提供することを目的としている。
【課題を解決するための手段】
【０００８】
本発明に係るアルバムは、薄手のからくり箱が、台紙に取り付けられ、この台紙が綴じ込まれている。
【０００９】
また、薄手のからくり箱は、表紙の裏側に取り付けられていてもよい。
【発明の効果】
【００１０】
本発明に係るアルバムは、からくり箱を有しているため、ある一定のロックの解除方法を知らなければ、からくり箱の内部に格納された情報にアクセスすることができない。
このため、ある一定の期間が経過して初めて見ることや触れることができる情報を隠しておくことができるまったく新たなアルバムとして、新規なアルバム市場をもたらすものである。
【発明を実施するための最良の形態】
【００１１】
図１は本発明の実施の形態に係るアルバムを開いた状態の概略的斜視図、図２は本発明の他の実施の形態に係るアルバムを開いた状態の概略的斜視図、図３は本発明の実施の形態に係るアルバムに用いられるからくり箱を構成する本体部の概略的斜視図、図４は本発明の実施の形態に係るアルバムに用いられるからくり箱を構成する蓋体部の概略的斜視図、図５は本発明の実施の形態に係るアルバムに用いられるからくり箱を構成する蓋体部の要部を裏側から見た概略的斜視図、図６は本発明の実施の形態に係るアルバムに用いられるからくり箱を構成するロック用棒体の概略的斜視図、図７は本発明の実施の形態に係るアルバムに用いられるからくり箱を構成する取外用棒体の概略的斜視図、図８は本発明の実施の形態に係るアルバムに用いられるからくり箱がロックされた状態を示す概略的斜視図である。
【００１２】
本発明の実施の形態に係るアルバム１０００は、図１に示すように、薄手のからくり箱１００が、台紙１１００に取り付けられ、この台紙１１００が綴じ込まれているものである。
【００１３】
前記台紙１１００には、強度の観点から写真等が掲載されている他のページよりも厚手の厚紙が望ましい。そして、この台紙１１００にからくり箱１００が接着剤や両面テープ等の適宜な手段で取り付けられるのであるが、台紙１１００に取り付けられたからくり箱１００と向かい合う対向台紙１２００にも、同容の厚手の厚紙を用いる。そして、この対向台紙１２００には、台紙１１００に取り付けられたからくり箱１００が嵌まり込む程度の大きさを有する凹部１２１０が形成されている。
【００１４】
すなわち、アルバム１０００が閉じられると、台紙１１００と対向台紙１２００とも閉じられ、からくり箱１００は、台紙１１００と対向台紙１２００との間に挟み込まれて、外部からは容易にはからくり箱１００が見えなくなるため、秘匿性を高めることができる。
【００１５】
なお、前記対向台紙１２００を設けずに、単に台紙１１００にからくり箱１００を取り付けるようにしてもよいことはいうまでもない。
【００１６】
また、図２に示すように、アルバム１０００の表紙１３００の裏側にからくり箱１００を取り付けるようにしてもよい。
【００１７】
一方、からくり箱１００は、以下のように構成されている。
すなわち、このからくり箱１００は、矩形状の底面部１１１の四辺から同じ高さの本体側前壁部１１２、本体側奥壁部１１３及び一対の本体側横壁部１１４がそれぞれ立ち上げられた平面視矩形状の略薄皿状の本体部１１０と、この本体部１１０にスライドして取り付けられる蓋体部１２０と、この蓋体部１２０が本体部１１０を閉塞した状態で両者をロックするロック機構１３０とを備えており、前記本体側横壁部１１４は、蓋体部１２０のスライド方向に沿った対向する二辺において、前記底面部１１１から立ち上げられており、前記本体側前壁部１１２は、前記本体側横壁部１１４と直交する方向の辺において、前記底面部１１１から立ち上げられており、前記本体側奥壁部１１３は、前記本体側前壁部１１２と対向する辺において、前記底面部１１１から立ち上げられており、前記蓋体部１２０は、自身のスライド方向に沿った対向する二辺に前記本体部１１０を抱え込む略コ字形状の蓋体側横壁部１２４が形成されているとともに、自身のスライド方向に直交する方向の辺に、本体部１１０を閉塞した際に本体部１１０の本体側前壁部１１２と当接する蓋体側前壁部１２２が形成されており、前記ロック機構１３０は、蓋体部１２０が本体部１１０を閉塞した状態にある場合、前記蓋体側前壁部１２２と当接する本体側前壁部１１２に開設された本体側スリット１１２Ａと、前記蓋体側前壁部１２２から内側に向かって突出され、蓋体部１２０が本体部１１０を閉塞した状態にある場合、前記本体側スリット１１２Ａに挿入されるロック爪部１２２Ａと、このロック爪部１２２Ａの基端部に開設された爪側スリット１２２Ｂと、前記本体側横壁部１１４に開設された本体側開口１１４Ａと、前記蓋体側横壁部１２４に開設された蓋体側開口１２４Ａと、これらの本体側開口１１４Ａ及び蓋体側開口１２４Ａを介して、内部に入れられ、前記爪側スリット１２２Ｂに挿入されるロック用棒体１３１とを有しており、前記爪側スリット１２２Ｂ、本体側開口１１４Ａ及び蓋体側開口１２４Ａは、蓋体部１２０が本体部１１０を閉塞した状態にある場合、一直線上に並ぶようになっている。
【００１８】
前記本体部１１０は、例えば、アルミニウム板を折曲形成してなるものであり、縦×横×高さの各寸法を３０２ｍｍ×２２８ｍｍ×１８〜２５ｍｍとしている。なお、高さ寸法は収納されるべきものの厚さによって適宜変更するものとする。
この本体部１１０の縦×横の寸法は、底面部１１１の縦×横の寸法であり、高さ寸法は本体側の各壁部１１２、１１３、１１４の高さ寸法となる。
図３に示すように、短辺において立ち上げられる本体側前壁部１１２には底面部１１１と平行な前側縁部１１２Ｃが、本体側奥壁部１１３には底面部１１１と平行な奥側縁部１１３Ｃがそれぞれ折曲形成によって延設されている。
なお、前記寸法は一例であり、これに限定されるものでないことはいうまでもない。
【００１９】
また、前記本体側前壁部１１２には、２つの縦長の本体側スリット１１２Ａが設けられている。
【００２０】
さらに、前記本体側横壁部１１４のうち、本体側前壁部１１２に近い側、前記前側縁部１１２Ｃの近傍には、四角形状の本体側開口１１４Ａが開設されている。
【００２１】
一方、前記蓋体部１２０は、本体部１１０と同様にアルミニウム板を折曲形成してなるものであり、縦×横×高さの各寸法を２９４ｍｍ×２２０ｍｍ×１９〜２６ｍｍとしている。なお、本体部１１０と同様に、高さ寸法は収納されるべきものの厚さによって適宜変更するものとする。
この蓋体部１２０の縦×横の寸法は、天面部１２１の縦×横の寸法であり、高さ寸法は蓋体部１２０のの各壁部１２２、１２４の高さ寸法となる。
なお、前記寸法は一例であり、これに限定されるものでないことはいうまでもない。
【００２２】
図４や図５に示すように、天面部１２１の長辺から折曲形成される蓋体側横壁部１２４は、先端を内側に折曲形成することで、略コ字形状に形成されることになる。これは、蓋体部１２０が本体部１１０を抱え込み、かつスライドして、本体部１１０を閉塞することができるようにするためである。
【００２３】
また、図４や図５に示すように、天面部１２１の一方の短辺からは、蓋体側前壁部１２２が折曲形成で延設される。この蓋体側前壁部１２２は、前記短辺の全体にわたって形成されるのではなく、上述した２つの本体側スリット１１２Ａの間の間隔に等しい長さだけ形成される。そして、この蓋体側前壁部１２２の縁部には、内側に向かって折曲形成されることで内側に向かって突出するロック爪１２２Ａが設けられている。このロック爪１２２Ａは、前記本体側スリット１１２Ａ等ととにもロック機構１３０を構成する部分である。
【００２４】
前記ロック爪１２２Ａは、蓋体部１２０が、本体部１１０を閉塞した際、本体部１１０の本体側前壁部１１２に対して蓋体側前壁部１２２が当接すると、前記本体側スリット１１２Ａに挿入されるようになっている。
【００２５】
しかも、そのロック爪１２２Ａの基端部には、爪側スリット１２２Ｂが開設されている。この爪側スリット１２２Ｂは、ロック爪１２２Ａが本体側スリット１２２Ｂに挿入された状態では、本体側前壁部１１２より奥側に位置するようになっている。
【００２６】
また、前記蓋体側横壁部１２４には、蓋体部１２０が本体部１１０を閉塞した状態で、前記本体側開口１１４Ａと一直線上に位置する箇所に蓋体側開口１２４Ａが開設されている。すなわち、蓋体部１２０が本体部１１０を閉塞した状態では、２つの蓋体側開口１２４Ａ、２つの本体側開口１１４Ａ及び２つの爪側スリット１２２Ｂは、一直線上に位置するようになっているのである。
【００２７】
一方、ロック機構１３０の一部を構成するロック用棒体１３１は、図６に示すように、例えば、薄いアルミニウム板から構成されており、先端がくさび状になった細い棒状のものである。このロック用棒体１３１は、蓋体部１２０が本体部１１０を閉塞した状態で、一方の蓋体側開口１２４Ａ、一方の本体側開口１１４Ａ及び２つの爪側スリット１２２Ｂに挿入されて、蓋体部１２０をロック状態にするものである。
【００２８】
しかも、このロック用棒体１３１は、２つのロック爪１２２Ａの間の間隔（これは２つの本体側スリット１１２Ａの間隔に等しい）より長く、かつからくり箱１００の横寸法より短く設定されている。さらには、このロック用棒体１３１は、蓋体部１２０をロックした状態では、からくり箱１００の内部に位置し、前記蓋体側開口１２４Ａ及び前記本体側開口１１４Ａからは外部に出ていないようになっている。
【００２９】
また、このロック用棒体１３１の後端には、爪側スリット１２２Ｂに挿入されたロック用棒体１３１を取り外す際に、図７に示すような取外用棒体１３２の取外側フック部１３２Ａに引っかかるロック側フック部１３１Ａが折曲形成されている。ロック用棒体１３１は、このロック側フック部１３１Ａがあるがため、挿入方向へは抜け落ちないようになっている。
【００３０】
なお、前記取外用棒体１３２は、図７に示すように、先端に取外側フック部１３２Ａが折曲形成されている。また、この取外用棒体１３２の後端は、指で把持しやすいように他の部分より大きくなっている。
【００３１】
上述したような本体部１１０、蓋体部１２０等から構成されたからくり箱１００は、本体部１１０をアルバム１０００の台紙１１００等に接着剤等の適宜な手段で取り付けられる。そして、蓋体部１２０は、蓋体側横壁部１２４によって、本体部１１０を抱き抱えるようにしてスライド装着される。蓋体部１２０が本体部１１０を閉塞すると、本体部１１０の本体側前壁部１１２に対して蓋体側前壁部１２２が当接し、ロック爪部１２２Ａが前記本体側スリット１１２Ａに挿入される。
【００３２】
この状態、すなわち蓋体部１２０が本体部１１０を閉塞した状態では、ロック爪部１２２Ａが本体側スリット１１２Ａに挿入されているので、２つの蓋体側開口１２４Ａ、２つの本体側開口１１４Ａ及び２つの爪側スリット１２２Ｂは、一直線上に位置するようになっている。
【００３３】
この状態から、ロック用棒体１３１を一方の蓋体側開口１２４Ａ、一方の本体側開口１１４Ａ及び２つの爪側スリット１２２Ｂに挿入すると、蓋体部１２０がロック状態にされる（図８参照）。
【００３４】
ロック状態を解除するためには、取外用棒体１３２を一方の蓋体側開口１２４Ａ及び一方の本体側開口１１４Ａを介してからくり箱１００の内部に挿入し、取外用棒体１３２の取外側フック部１３２Ａをロック側フック部１３１Ａに引っ掛け、ロック用棒体１３１を抜き取る。
これで、蓋体部１２０は本体部１１０から外すことができるようになる。
【００３５】
このように構成されたアルバム１０００は、多くの使い方ができるが、以下のようなものが効果的である。
卒業アルバムとして使用する場合には、からくり箱１００の内部に、例えば、卒業１０年後の同窓会の案内状や１０年後の自分へのメッセージ、友人へのメッセージ等を予め格納しておくことが考えられる。そして、取外用棒体１３２は、卒業アルバムに添付せず、前記同窓会の開催１年前程度の時期や、１０年経過後に、卒業生に対してロックの解除方法を説明した説明書ととにも郵送するのである。
このようにすると、卒業アルバムを入手した時点、すなわち卒業時点では、からくり箱１００のロック解除方法がわからず、内部の同窓会の案内状を見ることはできない。
このため、取外用棒体１３２等の郵送を受けて初めて、同窓会開催や１０年前の自分からのメッセージ等を知ることができる。
なお、前記メッセージとしては、文章のみならず、電子的記録媒体に格納された静止画、動画等であってもよいことはいうまでもない。
【００３６】
また、次のような使用方法も考えられる。
予め、インターネット上にバーチャルタイムカプセルとでも称すべきウェブサイトを開設しておき、このウェブサイトで秘密にされている情報（例えば、１０年後の同窓会の案内状やメッセージ）にアクセスするためのパスワードを記載した紙片や、前記パスワードが格納されたＵＳＢ記憶媒体等を収納してあってもよい。
この場合も、前記同窓会の開催１年前程度の時期や、１０年経過後に、取外用棒体１３２を卒業生に対してロックの解除方法を説明した説明書ととにも郵送するのである。
【００３７】
なお、上述したアルバム１０００のからくり箱１００の使用方法は、一例であって、これらに限定されることがないことはいうまでもない。
また、からくり箱１００の構造も、一例であって、これらに限定されることがないことはいうまでもない。
【図面の簡単な説明】
【００３８】
【図１】本発明の実施の形態に係るアルバムを開いた状態の概略的斜視図である。
【図２】本発明の他の実施の形態に係るアルバムを開いた状態の概略的斜視図である。
【図３】本発明の実施の形態に係るアルバムに用いられるからくり箱を構成する本体部の概略的斜視図である。
【図４】本発明の実施の形態に係るアルバムに用いられるからくり箱を構成する蓋体部の概略的斜視図である。
【図５】本発明の実施の形態に係るアルバムに用いられるからくり箱を構成する蓋体部の要部を裏側から見た概略的斜視図である。
【図６】本発明の実施の形態に係るアルバムに用いられるからくり箱を構成するロック用棒体の概略的斜視図である。
【図７】本発明の実施の形態に係るアルバムに用いられるからくり箱を構成する取外用棒体の概略的斜視図である。
【図８】本発明の実施の形態に係るアルバムに用いられるからくり箱がロックされた状態を示す概略的斜視図である。
【符号の説明】
【００３９】
１００    からくり箱
１１０    本体部
１２０    蓋体部
１０００  アルバム
１１００  台紙
【図１】
2008012714.tif 000003
【図２】
2008012714.tif 000004
【図３】
2008012714.tif 000005
【図４】
2008012714.tif 000006
【図５】
2008012714.tif 000007
【図６】
2008012714.tif 000008
【図７】
2008012714.tif 000009
【図８】
2008012714.tif 000010